(57)【要約】  本発明は、競技場（２０１）におけるスポーツ用対象物（２０５）を含む試合のためのスポーツ器具（１００）であって、試合の試合状態に関する状態信号を少なくとも１つ受信するための通信インタフェース（１０１）と、受信された状態信号に応じて表示信号の特性を変更するように構成された表示装置（１０３）とを備えるスポーツ器具（１００）に関する。
2018538023.tif 000002
【特許請求の範囲】
【請求項１】
競技場におけるスポーツ用対象物を含む試合のためのスポーツ器具であって、
前記試合の試合状態に関する状態信号を少なくとも１つ受信するための通信インタフェースと、
前記受信された状態信号に応じて表示信号の特性を変更する表示装置とを備えるスポーツ器具。
【請求項２】
次のスポーツ器具、すなわちゴール、および、競技場パターン、特に競技場境界線または競技場ラインまたは競技場エリアを示すためのマーキングデバイスのうち一方である、請求項１に記載のスポーツ器具。
【請求項３】
前記表示装置は、少なくとも１つの光要素、特にＬＥＤを有し、前記表示信号は、光信号であるか、またはそれを含み、前記光要素は、前記状態信号に応じて前記光信号の特性を変更する、請求項１または２に記載のスポーツ器具。
【請求項４】
前記表示装置は、前記状態信号に応じて、次の特性、すなわち光周波数、光色、光強度のうち少なくとも１つを変更する、請求項３に記載のスポーツ器具。
【請求項５】
前記表示装置は、電子ディスプレイ、特にＬＣＤディスプレイを有する、請求項１から４のいずれか一項に記載のスポーツ器具。
【請求項６】
前記表示装置は、前記状態信号に応答して、グラフィカルパターン、特にピクトグラムを表示する、請求項１から５のいずれか一項に記載のスポーツ器具。
【請求項７】
前記表示装置は、音響信号変換機を有し、前記表示信号は、音響信号を含み、前記音響信号変換機は、前記状態信号、特に信号周波数、信号系列、信号ボリューム、信号形状または信号パターンに応じて、前記音響信号の特性を少なくとも１つ変更する、請求項１から６のいずれか一項に記載のスポーツ器具。
【請求項８】
前記状態信号は、前記競技場における選手の位置、もしくは別の選手の位置に対する前記選手の位置、もしくは前記競技場、特に前記競技場の所定のエリアもしくはフィールドにおける前記スポーツ用対象物の位置、もしくは前記スポーツ器具に対する前記スポーツ用対象物の位置、もしくは前記選手もしくは別の選手の位置に対する前記スポーツ用対象物の位置を示すか、または、前記状態信号は、前記スポーツ用対象物の前記位置および前記選手の前記位置を示す、請求項１から７のいずれか一項に記載のスポーツ器具。
【請求項９】
前記状態信号は、前記表示装置を制御するための制御信号であるか、またはそれを含み、前記制御信号は、前記表示信号の特性を示し、前記表示装置は、表示される前記特性に従って、前記表示信号の少なくとも１つの特性、特に信号強度、信号周波数または信号系列を変更する、請求項１から８のいずれか一項に記載のスポーツ器具。
【請求項１０】
前記状態信号は、前記試合のルール、または前記試合のルールに対する変更、または競技場境界線、または競技場境界線に対する変更を示す、請求項１から９のいずれか一項に記載のスポーツ器具。
【請求項１１】
前記状態信号は、選手または相手選手の生理学的パラメータ、特にパフォーマンス関連の生理学的パラメータを示す、請求項１から１０のいずれか一項に記載のスポーツ器具。
【請求項１２】
前記表示装置は、所定のまたは調節可能な時間間隔の経過後に前記表示信号の前記特性を変更する、請求項１から１１のいずれか一項に記載のスポーツ器具。
【請求項１３】
前記表示装置は、前記表示信号の前記特性の前記変更を決定する、請求項１から１２のいずれか一項に記載のスポーツ器具。
【請求項１４】
前記通信インタフェースは、次の通信技術、すなわちＢｌｕｅｔｏｏｔｈ（登録商標）、ＷＬＡＮ、ＵＭＴＳ、ＬＴＥ、Ｅｔｈｅｒｎｅｔ（登録商標）、インターネット、ＲＦＩＤのうち１つに従って動作する、請求項１から１３のいずれか一項に記載のスポーツ器具。
【請求項１５】
請求項１から１４のいずれか一項に記載のスポーツ器具を少なくとも２つ備える、スポーツ器具の構成であって、前記スポーツ器具の前記通信インタフェースは、同じ状態信号または異なる状態信号を受信する、構成。
【請求項１６】
請求項１から１４のいずれか一項に記載のスポーツ器具を少なくとも１つ制御するための制御デバイスであって、状態信号、特に前記スポーツ器具を制御するための制御信号を入力するためのグラフィカル・ユーザインタフェースと、前記状態信号を出力するための通信インタフェースとを備える制御デバイス。
【発明の詳細な説明】
【技術分野】
【０００１】
本発明は、競技場におけるスポーツ用対象物を含む試合のためのスポーツ器具に関する。
【背景技術】
【０００２】
競技場における複数の選手を含む試合、例えばフットボール、バレーボールまたはバスケットボールなどの球技は、様々な試合状況に対して選手が迅速に適応することを必要とすることが多い。しかし、監督から選手への、または選手間での迅速な情報伝達を実現するのは難しいことが多い。
【０００３】
本発明の目的は、競技場におけるスポーツ用対象物を含む試合、例えばフットボール、バレーボールまたはバスケットボールなどの球技の実行をサポートすることである。
【０００４】
前述の目的は、独立項に記載の特徴により実現される。本発明の有利な実施形態が、従属項、明細書および添付図面の主題である。
【発明の概要】
【０００５】
第１の態様によれば、本発明は、競技場におけるスポーツ用対象物を含む試合のためのスポーツ器具であって、試合の試合状態に関する状態信号を少なくとも１つ受信するための通信インタフェースと、受信された状態信号に応じて表示信号の特性を変更するように構成された表示装置とを備えるスポーツ器具に関する。状態信号は、表示信号の特性、またはその特性の変更を指定し得る。
【０００６】
ある実施形態において、スポーツ器具は、次のスポーツ器具、すなわちゴール、または、競技場パターン、特に競技場境界線もしくは競技場ラインもしくは競技場エリアを示すためのマーキングデバイスのうち一方である。
【０００７】
ある実施形態において、表示装置は、少なくとも１つの光要素、特にＬＥＤを有し、表示信号は、光信号であるか、またはそれを含み、光要素は、状態信号に応じて光信号の特性を変更するように構成される。
【０００８】
ある実施形態において、表示装置は、状態信号に応じて、次の特性、すなわち光周波数、光色、光強度のうち少なくとも１つを変更するように構成される。
【０００９】
ある実施形態において、表示装置は、電子ディスプレイ、特にＬＣＤディスプレイを備える。
【００１０】
ある実施形態において、表示装置は、状態信号に応答して、グラフィカルパターン、特にピクトグラムを表示するように構成される。
【００１１】
ある実施形態において、表示装置は、音響信号変換機を有し、表示信号は、音響信号を含み、音響信号変換機は、状態信号、特に信号周波数、信号系列、信号ボリューム、信号形状または信号パターンに応じて、音響信号の特性を少なくとも１つ変更するように構成される。
【００１２】
ある実施形態において、状態信号は、競技場における選手の位置、もしくは別の選手の位置に対する選手の位置、もしくは競技場、特に競技場の所定のエリアもしくはフィールドにおけるスポーツ用対象物の位置、もしくはスポーツ器具に対するスポーツ用対象物の位置、もしくは選手もしくは別の選手の位置に対するスポーツ用対象物の位置を示すか、または、状態信号は、スポーツ用対象物の位置および選手の位置を示す。
【００１３】
スポーツ用対象物は、試合用対象物、例えばボールであり得る。状態信号は、選手および／またはボールの位置を示し得る。
【００１４】
ある実施形態において、状態信号は、表示装置を制御するための制御信号であるか、またはそれを含み、制御信号は、表示信号の特性を示し、表示装置は、表示される特性に従って、表示信号の少なくとも１つの特性、特に信号強度、信号周波数または信号系列を変更するように構成される。
【００１５】
ある実施形態において、状態信号は、試合のルール、または試合のルールに対する変更、または競技場境界線、または競技場境界線に対する変更を示す。
【００１６】
ある実施形態において、状態信号は、選手および／または相手選手の生理学的パラメータ、特にパフォーマンス関連の生理学的パラメータを示す。
【００１７】
ある実施形態において、表示装置は、所定のまたは調節可能な時間間隔の経過後に表示信号の特性を変更するように構成される。
【００１８】
ある実施形態において、表示装置は、表示信号の特性の変更を決定するように構成される。
【００１９】
ある実施形態において、通信インタフェースは、次の通信技術、すなわちＢｌｕｅｔｏｏｔｈ（登録商標）、ＷＬＡＮ、ＵＭＴＳ、ＬＴＥ、Ｅｔｈｅｒｎｅｔ（登録商標）、インターネット、ＲＦＩＤのうち１つに従って動作するように構成される。
【００２０】
第２の態様によれば、本発明は、後述の請求項のうち一項に記載のスポーツ器具を少なくとも２つ備える、スポーツ器具の構成であって、スポーツ器具の通信インタフェースが、同じ状態信号または異なる状態信号を受信する、構成に関する。
【００２１】
第３の態様によれば、本発明は、第１の態様に係るスポーツ器具を少なくとも１つ制御するための制御デバイスであって、状態信号、特にスポーツ器具を制御するための制御信号を入力するためのグラフィカル・ユーザインタフェースと、状態信号を出力するための通信インタフェースとを備える制御デバイスに関する。制御デバイスは、スポーツ器具の構成を制御するように構成され得る。状態信号は、前述の状態信号の特性を備えてよく、前述のように生成されてよい。
【図面の簡単な説明】
【００２２】
添付図面を参照して、本発明の更なる例示的な実施形態が説明される。図面は以下を示す。
【００２３】
【図１】スポーツ器具
【００２４】
【図２】スポーツ器具の構成
【発明を実施するための形態】
【００２５】
図１は、競技場におけるスポーツ用対象物を含む試合のためのスポーツ器具１００であって、試合の試合状態に関する状態信号を少なくとも１つ受信するための通信インタフェース１０１と、受信された状態信号に応じて表示信号の特性を変更するように構成された表示装置１０３とを備えるスポーツ器具１００を概略的に示す。
【００２６】
図２は、ボールなどのスポーツ用対象物２０５を含む試合のための、競技場２０１におけるスポーツ器具１００の例示的な構成２００を示す。競技場２０１は、幾つかのエリア２０３を含み、これらのエリアは、例えばゾーン１〜８であり得る。
【００２７】
構成２００は、タッチスクリーン（ＴＳ）、アクティブなゴール（ＡＴ）およびアクティブなマーカコーン（ＡＭ）などのスポーツ器具１００を備えるＳｍａｒｔ−ｉＣｏｕｒｔを形成し、スポーツ器具１００には、光学的および音響的な表示ユニット（表示装置）１０３が設置される。スポーツ器具１００は、スマートフォン、ＰＣなどの制御デバイス３００、または、タブレットなどの無線機能を有する他の制御ユニットを用いて制御され得る。
【００２８】
特定の状態に応じて、スポーツ器具１００、すなわちＴＳ、ＡＴまたはＡＭは、特定の光学的または音響的な状態を帯びる。これらの状態とともに、位置信号、特に選手およびボールの位置信号と、生体信号、特に選手の生体信号とに関連して、専門知識、規定、または、ｉｆ−ｔｈｅｎルールのコンスタレーションが考慮され得る。
【００２９】
スポーツ器具１００の光学的および／または音響的な状態は、特定の色の不動光、特定の色もしくは様々な色の点滅光、任意の望ましいノイズ、特に音声もしくは信号音、前述の状態の任意の望ましい組み合わせ、ＴＳ上の提示であってよく、これらの提示は、数字を用いたピクトグラム、演算タスクまたは読取タスクを含んでよい。
【００３０】
スポーツ器具１００の光学的および／または音響的な状態は、表示信号の特性および／または音響信号の特性を備え得る。
【００３１】
これらの状態は、それらに応じてＳｍａｒｔ−ｉＣｏｕｒｔのスポーツ器具１００が光学的および／もしくは音響的な状態または信号特性を帯びるものであり、本質的に、自動化されたルールセットからの固定仕様、または監督からの仕様を含み得る。監督は、例えばタブレット３００を用いて、仕様を選択または指定する。
【００３２】
仕様は、例えば、ＡＴが３０秒ごとに、または他の時間間隔で色を変更（プレーの向きを変更）すべきとするもの、対角線上に位置付けられるＡＴ２およびＡＴ４、またはＡＴ１およびＡＴ３などのＡＴが同一の色を表示すべきとするもの、センターライン上にあるＡＭ３およびＡＭ７などのＡＭが点灯（フィールドを垂直分割）すべきとするもの、ゴール間にあるＡＭ１およびＡＭ５などのＡＭが点灯（フィールドを水平分割）すべきとするもの、ゴールから６ｍ離れたところに位置付けられるＡＭが、点灯（シュートゾーンのスイッチを入れる）すべきとするもの、個々のＡＴが、例えばタスクを定めるため、または試合状態を伝えるために特定の音声信号を発すべきとするもの、またはＴＳが特定のタスクを提示すべきとするものを含み得る。
【００３３】
更に、仕様は動的な仕様であってよく、例えば制御デバイス３００上のシステム、またはそれぞれのスポーツ器具１００内のシステムのどちらか一方に実装されるｉｆ−ｔｈｅｎルールにより規定される。
【００３４】
Ｓｍａｒｔ−ｉＣｏｕｒｔの状態または構成２００の状態は、動的なものにされてよく、例えば監督、スポーツ医またはスポーツ科学者により策定される、例えばｉｆ−ｔｈｅｎ条件またはルールに応じたものにされてよい。これらの条件またはルールは、同じチームの選手、相手チームの選手およびボールの位置データと、同じチームおよび相手チームの選手の生理学的状態とに応じて、このシステムまたは制御デバイス３００に実装されている。以下がこの例である。
【００３５】
（ｉ）（ａ）攻撃チームの選手、例えば図２の選手３がＡＴ１００にボールをシュートする、および／もしくは（ｂ）シュートゾーン内に配置されるとすぐに、ならびに／または、ゴールがカウントされることの警告として、そのゴールが白色で３回点滅する。選手の位置データは、測位システム（ＲｅｄＦＩＲ、カタパルト、ビデオなど）を用いて、例えばリアルタイムで監視され得る。更に、ボール測位システム（ＲｅｄＦＩＲ、ＧｏａｌＲＥＦなど）が、ボールがゴールラインを越えたかどうかを監視し得る。
【００３６】
（ｉｉ）（ａ）攻撃チームの選手、例えば図２の選手３がＡＴ１００内にボールを移動させる、および／もしくは（ｂ）シュートゾーン内に位置付けられる、および／もしくは（ｃ）攻撃チームの全選手、例えば選手１および２が対戦者側のフィールド半分に位置付けられるとすぐに、ならびに／または（ｄ）センターラインのＡＭ１００が白色光信号を発した場合に、このＡＴが白色で３回点滅する。これにより、コンパクトなチームの動きが容易になり得る。選手の位置データは、測位システム（ＲｅｄＦＩＲ、カタパルト、ビデオなど）を用いて、例えばリアルタイムで監視され得る。更に、ボール測位システム（ＲｅｄＦＩＲ、ＧｏａｌＲＥＦなど）は、ボールがゴールラインを越えたかどうかを監視し得る。
【００３７】
（ｉｉｉ）（ａ）攻撃チームの選手、例えば図２の選手３がＡＴ１００内にボールを移動させる、および／もしくは（ｂ）シュートゾーン内に位置付けられる、および／もしくは（ｃ）競技場の両半分が、攻撃の任意の時に、少なくとも１人の攻撃選手、例えば図２の左側の選手１および３と右側の選手２とにより占領されるとすぐに、ならびに／または（ｄ）ゴール間のマーカコーンが白色光信号を発した場合に、このＡＴが白色で３回点滅する。これにより、競技場２０１の幅を使用するのが容易になり得る。選手の位置データは、測位システム（ＲｅｄＦＩＲ、カタパルト、ビデオなど）を用いて、例えばリアルタイムで監視され得る。更に、ボール測位システム（ＲｅｄＦＩＲ、ＧｏａｌＲＥＦなど）は、ボールがゴールラインを越えたかどうかを監視し得る。
【００３８】
上述の例は、構成２００および／またはスポーツ器具１００の機能を示すのに役立つ。特に、ＡＴ１００は、３回より多くまたは少なく点滅してもよいし、カラーで点滅してもよい。
【００３９】
図２に示されるＳｍａｒｔ−ｉＣｏｕｒｔの例は、測位システム（ＬＰＭ）を備える。
【００４０】
制御デバイス３００は、ユーザインタフェース３０１と、調整要素３０３、例えばスライダとを備え得る。ユーザインタフェース３０１は、複数の操作要素Ｍ１からＭ１８を備えてよく、これらの操作要素は、スポーツ器具１００を個別に、または同じタイプのスポーツ器具１００から成るグループ単位で選択するのに使用されてよい。調整要素３０３は、それぞれの状態信号の特性または表示信号の特性を変更するのに使用され得る。状態信号は更に、表示信号の特性を指定し得る。
【００４１】
制御デバイス３００は更に、例えば前述の通信技術のうち１つに係る１つまたは複数のスポーツ器具１００に対して制御信号を出力するための通信インタフェースを備え得る。
【００４２】
制御デバイス３００は、プロセッサおよび／またはメモリを備え得る。メモリには特定の状態および／または状態信号がロードされてよく、これらの状態および／または状態信号は、再呼び出しされてよい。プロセッサは、指定のルールに従って状態信号を実装するように構成され得る。通信インタフェースは、この目的のために選手またはボールから位置信号を受信してよく、位置に応じて、上述の例に記載されるように状態信号を生成してよい。
【００４３】
状態信号はまた、脈、酸素飽和度または血糖値などの、選手のパフォーマンス関連の生理学的パラメータに基づいて調整され得る。従って、それぞれの通信インタフェースは、選手のパフォーマンス関連の生理学的パラメータを受信するように構成されてよく、状態信号を実装する場合に、例えば表示信号の特性を変更することにより、これらのパラメータを考慮するように構成されてよい。
【００４４】
それぞれの状態信号は、それぞれの状態と関連付けられてよく、および／または、それぞれの状態を示してよい。
【符号の説明】
【００４５】
１００  スポーツ器具
１０１  通信インタフェース
１０３  表示装置
【００４６】
２００  スポーツ器具の構成
２０１  競技場
２０３  競技場エリア
２０５  スポーツ用対象物
【００４７】
３００  制御デバイス
３０１  ユーザインタフェース
３０３  調整要素
【図１】
2018538023.tif 000003
【図２】
2018538023.tif 000004
【国際調査報告】
2018538023.tif 000005
2018538023.tif 000006
2018538023.tif 000007
2018538023.tif 000008
2018538023.tif 000009
2018538023.tif 000010